(57)【要約】【課題】室外機の排気効率を向上させることができ、空調効率の低下を防ぐことのできる室外機の配置構造を提供する。【解決手段】本発明の室外機の配置構造は、外壁と、外壁から離間して配置された壁と、外壁と壁との間に、外壁面に沿って並設された複数の室外機と、を備える。複数の室外機は、２基を１組とする複数組の室外機ペアを有し、第一の室外機ペアの第一の室外機と、第一の室外機に対向する第二の室外機ペアの第二の室外機とは、その排気方向を、外壁に直交する方向に対して、所定角度で向き合うように配置されている。【選択図】図２
2018119765.tif 000002
【特許請求の範囲】
【請求項１】
外壁と、前記外壁から離間して配置された壁と、前記外壁と前記壁との間に、前記外壁面に沿って並設された複数の室外機と、を備え、
前記複数の室外機は、第一の室外機及び第二の室外機を含む複数組の室外機ペアを有し、
第一の室外機ペアの第一の室外機と、前記第一の室外機に対向する第二の室外機ペアの第二の室外機とは、その排気方向を、前記外壁に直交する方向に対して、所定角度で向き合うように配置されている、室外機の配置構造。
【請求項２】
前記所定角度は、前記外壁に直交する方向に対して、４５度〜９０度の範囲である、請求項１に記載の室外機の配置構造。
【請求項３】
前記第一の室外機ペアと、隣り合う前記第二の室外機ペアとは、３．５ｍ以上の所定間隔をあけて配置されている、請求項１又は２に記載の室外機の配置構造。
【請求項４】
前記各室外機ペアにおける二つの室外機は、０．１ｍ以上離間させて配置される、請求項１〜３の何れかに記載の室外機の配置構造。
【請求項５】
前記外壁と前記壁との間で上下方向に間隔をあけて設けられる複数の床材を備え、各床材には、前記室外機ペアが配置され、各床材は、通気可能に構成され、前記床面の開口率は、２０〜８０％の範囲である、請求項１〜４の何れかに記載の室外機の配置構造。
【請求項６】
前記複数組の室外機ペアは、縦横に整列して配置されている、請求項１〜５の何れかに記載の室外機の配置構造。
【請求項７】
前記室外機ペアの各室外機の排気は、前記壁に向かって排気され、前記室外機の排気口には、前記排気方向を、前記外壁に直交する方向に対して、前記所定角度で向き合うように配置可能な風向調整板が設けられている、請求項１〜６の何れかに記載の室外機の配置構造。
【請求項８】
前記壁は、太陽光パネルを含む、請求項１〜７の何れかに記載の室外機の配置構造。
【発明の詳細な説明】
【技術分野】
【０００１】
本発明は、室外機の配置構造に関し、特に、複数の室外機の配置構造に関する。
【背景技術】
【０００２】
従来より、例えば、集合住宅や、ビジネスホテル、オフィスビル等には、室内に、エアコンが配置され、また、バルコニー等のスペースに、エアコンの室外機が配置されている。このような場合、外壁と、外壁から離間されて配置されたバルコニーの壁との間に、室外機が配置されている。
【０００３】
室外機の排気口から排出される排気（暖房運転の場合は低温の排気、冷房運転の場合は高温の排気）は、バルコニーの壁に当たり、室外機の裏側に廻り込むことで、空調の効率が低下する、所謂、ショートサーキットを生じる可能性がある。このような問題に対処するために、室外機の排気口にダクトを取り付け、室外機の排気口から排出される排気を、ダクトを介して外部に直接排気したり、室外機の排気口に風向調整板を取り付け、風向調整板によって、室外機の排気口から排出される排気を調整したりすることが行われている。
【０００４】
この種の風向調整板を備える室外機が、例えば、特開平１１‐２０１５４２号公報（特許文献１）に記載されている。
【０００５】
特許文献１に記載のエアコン室外機の風向調整板は、エアコン室外機の風吹出口に取付けられる外枠と、この外枠内で上下に並設された複数の細板状の羽根と、を有する。係る風向調整板では、各羽根は、長手方向直交断面が円弧をなすほぼ同一の形状に形成され、円弧の内面を斜め上方に向けほぼ同角度で配向されると共に、羽根が隣接する下側の羽根より室外機側に近づくようにずらせて配設されている。
【０００６】
そして、この種の風向調整板は、複数の細板状の羽根により風吹出口からの排気の風向を上向きに調整するようになっている。このような構成により、室外機の排気口から排出される排気は、室外機の裏側に廻り込むことがなく、また、羽根間に形成される空隙すなわち流路断面積を広く形成し、室外機風吹出口の圧力損失を低減することが可能であるとしている。
【０００７】
また、複数の室外機ユニットを配置する構成が、特開２００２−３６５１１８号公報（特許文献２）に記載されている。
【０００８】
特許文献２に記載の建物の空調設備は、１又は２以上の室外機と、室外機よりも個数の多い複数の室内機を組み合わせ、室外機と室内機とを互いに冷媒配管で接続したマルチユニットを構成している。そして、マルチユニットを複数組み合わせて構成された空調ユニット組を、建物の複数階にそれぞれ設けるようになっている。
【先行技術文献】
【特許文献】
【０００９】
【特許文献１】特開平１１‐２０１５４２号公報
【特許文献２】特開２００２−３６５１１８号公報
【発明の概要】
【発明が解決しようとする課題】
【００１０】
しかしながら、特許文献１には、エアコンに対応する１基の室外機に対して、風向調整板を設けて室外機の風向を制御する内容が開示されているものの、複数の室外機に対する風向の制御の関係性については、全く考慮されていない。また、室外機の排気が、上層階又は下層階へそのまま到達して室外機に流れ込むことで、空調効率が低下するという問題があった。
【００１１】
また、特許文献２には、複数の室外機ユニットを配置する内容が開示されているが、複数の室外機ユニットの風向の制御による効率的な排気に関しての記載はない。
【００１２】
そこで、本発明は、斯かる実情に鑑み、室外機の排気効率を向上させることができ、空調効率の低下を防ぐことのできる室外機の配置構造を提供することを目的とする。
【課題を解決するための手段】
【００１３】
本発明に係る室外機の配置構造は、外壁と、前記外壁から離間して配置された壁と、前記外壁と前記壁との間に、前記外壁面に沿って並設された複数の室外機と、を備え、前記複数の室外機は、第一の室外機及び第二の室外機を含む複数組の室外機ペアを有し、第一の室外機ペアの第一の室外機と、前記第一の室外機に対向する第二の室外機ペアの第二の室外機とは、その排気方向を、前記外壁に直交する方向に対して、所定角度で向き合うように配置されている、ことを特徴とする。
【００１４】
上記構成の室外機の配置構造によれば、複数の室外機は、第一の室外機及び第二の室外機を含む複数組の室外機ペアを有し、第一の室外機ペアの第一の室外機と、第一の室外機に対向する第二の室外機ペアの第二の室外機とは、その排気方向を、外壁に直交する方向に対して、所定角度で向き合うように配置されているため、第一の室外機ペアの第一の室外機及び第二の室外機ペアの第二の室外機から排出される排気は、互いに衝突し、衝突することで上向き又は下向きの力が作用し、上昇気流又は下降気流を発生させる。なお、暖房運転の場合、上昇気流を発生させ、冷房運転の場合、下降気流を発生させる。
【００１５】
そして、上昇気流又は下降気流となった排気は、壁から外へ排出されるとともに、そのまま上昇又は下降して排出されるようになる。その結果、第一の室外機ペアの第一の室外機及び第二の室外機ペアの第二の室外機から排出される排気は、壁を介して室外機に再び取り込まれることがないため、複数の室外機に対する風向が制御されることで、室外機の排気効率を向上させることができ、空調効率の低下を防ぐことができる。
【００１６】
本発明の一態様として、前記所定角度は、前記外壁に直交する方向に対して、４５度〜９０度の範囲である、のが好ましい。
【００１７】
上記構成の室外機の配置構造によれば、所定角度は、外壁に直交する方向に対して、４５度〜９０度の範囲であるため、第一の室外機ペアの第一の室外機及び第二の室外機ペアの第二の室外機から排出される排気は、外壁に直交する方向に対して、４５度〜９０度の範囲で制御され、上昇気流又は下降気流をより効率的に発生させることで、室外機の排気効率をより向上させることができ、空調効率の低下をさらに防ぐことができる。
【００１８】
本発明の他態様として、前記第一の室外機ペアと、隣り合う前記第二の室外機ペアとは、３．５ｍ以上の所定間隔をあけて配置されている、のが好ましい。
【００１９】
例えば、オフィスビルの平均的なケースとして、外壁から壁までの距離を１．２ｍとし、室内機から排出される排気の風量が、４１４０ｍ３／ｈとする。このような場合、第一の室外機ペアと、隣り合う第二の室外機ペアとが、３．５ｍ以上の所定間隔をあけて配置されると、第一の室外機ペア及び第二の室外機ペアから排出される排気は、壁を介して室外機に再び取り込まれることがなく、室外機の排気効率をより向上させることができ、空調効率の低下をさらに防ぐことができる。
【００２０】
本発明の他態様として、前記各室外機ペアにおける二つの室外機は、０．１ｍ以上離間させて配置される、のが好ましい。
【００２１】
上記構成の室外機の配置構造によれば、各室外機ペアにおける二つの室外機は、０．１ｍ以上離間させて配置されるため、二つの室外機から排出される排気は、互いに干渉することがない。
【００２２】
本発明のさらに他の態様として、前記外壁と前記壁との間で上下方向に間隔をあけて設けられる複数の床材を備え、各床材には、前記室外機ペアが配置され、各床材は、通気可能に構成され、前記床面の開口率は、２０〜８０％の範囲である、のが好ましい。
【００２３】
上記構成の室外機の配置構造によれば、外壁と壁との間で上下方向に間隔をあけて設けられる複数の床材を備え、各床材には、室外機ペアが配置され、各床材は、通気可能に構成され、床面の開口率は、２０〜８０％の範囲であるため、第一の室外機ペアの第一の室外機及び第二の室外機ペアの第二の室外機から排出され、上昇気流又は下降気流となった排気の一部は、外壁と壁との間の空間に留まることなく、上下方向に間隔をあけて設けられる複数の床材を通って、上下方向に抜けることができる。これにより、空調効率をより向上させることができる。
【００２４】
本発明のさらに別の態様として、前記複数組の室外機ペアは、縦横に整列して配置されている、のが好ましい。
【００２５】
上記構成の室外機の配置構造によれば、複数組の室外機ペアは、縦横に整列して配置されているため、複数組の室外機ペアから排出され、上昇気流又は下降気流となった排気の一部は、複数組の室外機ペアに干渉されることなく、上下方向に間隔をあけて設けられる複数の床材を通って、上下方向に効率的に抜けることができる。これにより、建物の熱効率に与える影響を小さくすることができる。
【００２６】
本発明のさらに別の態様として、前記室外機ペアの各室外機の排気は、前記壁に向かって排気され、前記室外機の排気口には、前記排気方向を、前記外壁に直交する方向に対して、前記所定角度で向き合うように配置可能な風向調整板が設けられている、のが好ましい。
【００２７】
上記構成の室外機の配置構造によれば、室外機ペアの各室外機の排気は、壁に向かって排気され、室外機の排気口には、排気方向を、外壁に直交する方向に対して、所定角度で向き合うように配置可能な風向調整板が設けられているため、第一の室外機ペアの第一の室外機及び第二の室外機ペアの第二の室外機から壁に向かって排気された排気は、風向調整板によってより適切に向き合うようになり、上昇気流又は下降気流をより効率的に発生させることで、複数の室外機に対する風向がより効率的に制御され、室外機の排気効率をより向上させることができ、空調効率の低下をさらに防ぐことができる。
【００２８】
本発明のさらに別の態様として、前記壁は、太陽光パネルを含む、のが好ましい。
【００２９】
外壁や壁に、太陽光パネルが設置される場合がある。太陽光パネルは、太陽光の照射により非常に高温になり、発電効率が悪くなる場合が多い。
【００３０】
本発明の室外機の配置構造において、壁は、太陽光パネルを含む。上記構成の室外機の配置構造によれば、複数組の室外機ペアから壁に向かって排気された排気は、上述のように、上昇気流又は下降気流を発生させ、上昇気流又は下降気流となった排気は、壁に当たることなく、そのまま排出されるようになる。そのため、太陽光パネルが効率良く冷却されるようになるため、発電効率が良好となる。
【発明の効果】
【００３１】
以上のように、本発明の室外機の配置構造によれば、室外機の排気効率を向上させることができ、空調効率の低下を防ぐことができる、といった優れた効果を奏し得る。
【図面の簡単な説明】
【００３２】
【図１】本発明の一実施形態に係る室外機の配置構造が、建物に配置され、室外機ペアの排気の一部が、上層階に向かう様子を示す図である。
【図２】本発明の一実施形態に係る室外機の配置構造の概略を示す拡大図である。
【図３】本発明の一実施形態に係る室外機の配置構造に設置された風向調整板の概略図である。
【発明を実施するための形態】
【００３３】
以下、本発明の一実施形態に係る室外機の配置構造の概略について、添付図面を参照して説明する。
【００３４】
本実施形態に係る室外機の配置構造は、例えば、外壁と、外壁から離間して配置された壁とを有するバルコニー、ダブルスキンファサード等に設置されるためのものである。このようなバルコニーを有する建物として、例えば、集合住宅や、ビジネスホテル、オフィスビル等が挙げられる。
【００３５】
図１に示すように、本実施形態に係る室外機の配置構造１００は、複数階を有する建物２００に設置されている。図２に示すように、室外機の配置構造１００は、外壁１０と、外壁１０から離間して配置された壁１１と、外壁１０と壁１１との間に、外壁面１０ａに沿って並設された複数の室外機と、を備える。
【００３６】
本実施形態において、複数の室外機は、第一の室外機及び第二の室外機を含む複数組の室外機ペアを有する。
【００３７】
より具体的には、図１及び図２に示すように、室外機の配置構造１００の複数組の室外機ペアは、第一の室外機ペア１２と、第二の室外機ペア１３と、を備える。第一の室外機ペア１２は、第一の室外機１２ａと、第二の室外機１２ｂと、を備える。第二の室外機ペア１３は、第一の室外機１３ａと、第二の室外機１３ｂと、を備える。
【００３８】
本実施形態において、第一の室外機ペア１２と、隣り合う第二の室外機ペア１３とは、３．５ｍ以上の所定間隔をあけて配置されている。
【００３９】
例えば、オフィスビルの平均的なケースとして、外壁から壁までの距離を１．２ｍとし、室内機から排出される排気の風量が、４１４０ｍ３／ｈとする。このような場合、第一の室外機ペア１２と、第二の室外機ペア１３とが、３．５ｍ以上の所定間隔をあけて配置されると、第一の室外機ペア１２及び第二の室外機ペア１３から排出される排気は、壁１１を介して第一の室外機ペア１２及び第二の室外機ペア１３に再び取り込まれることがない。
【００４０】
本実施形態において、各室外機ペア１２（１３）における二つの室外機１２ａ，１２ｂ（１３ａ，１３ｂ）は、０．１ｍ以上離間させて配置される。
【００４１】
本実施形態において、第一の室外機ペア１２の第一の室外機１２ａと、第一の室外機１２ａに対向する第二の室外機ペア１３の第二の室外機１３ｂとは、その排気方向を、外壁１０に直交する方向に対して、所定角度で向き合うように配置されている。
【００４２】
本実施形態において、所定角度は、外壁１０に直交する方向に対して、４５度〜９０度の範囲である。
【００４３】
また、図２に示すように、第一の室外機ペア１２において、第一の室外機１２ａと、第二の室外機１２ｂと、は、排気方向を、外壁１０に沿う方向において逆向きとして隣接設置される。また、第二の室外機ペア１３において、第一の室外機１３ａと、第二の室外機１３ｂと、は、排気方向を、外壁１０に沿う方向において逆向きとして隣接設置される。
【００４４】
こうすることで、例えば、外壁１０と壁１１との間に形成されるバルコニー面積が有効に活用できるとともに、第一の室外機ペア１２の第一の室外機１２ａ又は第二の室外機ペア１３の第二の室外機１３ｂの何れかが停止している時に、第一の室外機１２ａ又は第二の室外機１３ｂが障害物となって、隣の第一の室外機ペア１２又は第二の室外機ペア１３から流れてくる排気を防ぐことができる。
【００４５】
図１及び図２に示すように、本実施形態において、外壁１０と壁１１との間で上下方向に間隔をあけて設けられる複数の床材１４，１５を備える。各床材１４（１５）には、第一の室外機ペア１２及び第二の室外機ペア１３が配置される。各床材１４（１５）は、通気可能に構成され、床面１４ａ（１５ａ）の開口率は、２０〜８０％の範囲である。
【００４６】
本実施形態において、複数組の室外機ペア１２及び１３は、縦横に整列して配置されている。なお、「複数組の室外機ペア１２及び１３は、縦横に整列して配置されている」とは、「複数組の室外機ペア１２及び１３は、上下方向に同じ位置に配置されているとともに、左右方向に同じ位置に配置されている」ことをいう。
【００４７】
図２及び図３に示すように、第一の室外機ペア１２において、第一の室外機１２ａ及び第二の室外機１２ｂの排気は、外壁１０に沿う方向に横向きに排気され、第一の室外機１２ａ及び第二の室外機１２ｂの排気口には、排気方向を、外壁１０に直交する方向に対して、所定角度で向き合うように配置可能な風向調整板１６，１６が設けられている。図３に示すように、風向調整板１６，１６は、第一の室外機１２ａ及び第二の室外機１２ｂの吹出口に取付可能な外枠１６ａと、外枠内に上下方向に間隔をあけて設けられた複数の板状部材１６ｂと、を有する。なお、図２及び図３において、矢印は、第一の室外機１２ａ及び第二の室外機１２ｂから排出された排気の方向を示す。
【００４８】
すなわち、風向調整板１６は、第一の室外機１２ａ及び第二の室外機１２ｂの排気が、外壁１０に沿う方向において反対方向に向けて吹き出すように設置される。
【００４９】
こうすることで、第一の室外機１２ａ及び第二の室外機１２ｂから排出された排気は、風向調整板１６によって、所定角度で反対方向に排出されるとともに、それぞれの排気は、隣の室外機ペアの第二の室外機及び第一の室外機の排気と衝突することで、上向き又は下向きの力が作用し、上昇気流又は下降気流を発生させるようになる。
【００５０】
図２及び図３に示すように、第二の室外機ペア１３において、第一の室外機１３ａ及び第二の室外機１３ｂの排気は、外壁１０に沿う方向に横向きに排気され、第一の室外機１３ａ及び第二の室外機１３ｂの排気口には、排気方向を、外壁１０に直交する方向に対して、所定角度で向き合うように配置可能な風向調整板１７，１７が設けられている。図３に示すように、風向調整板１７，１７は、第一の室外機１３ａ及び第二の室外機１３ｂの吹出口に取付可能な外枠１７ａと、外枠内に上下方向に間隔をあけて設けられた複数の板状部材１７ｂと、を有する。なお、上記と同様に、図２及び図３において、矢印は、第一の室外機１３ａ及び第二の室外機１３ｂから排出された排気の方向を示す。
【００５１】
すなわち、風向調整板１７は、第一の室外機１３ａ及び第二の室外機１３ｂの排気が、外壁１０に沿う方向において反対方向に向けて吹き出すように配置される。
【００５２】
こうすることで、第一の室外機１３ａ及び第二の室外機１３ｂから排出された排気は、風向調整板１７によって、所定角度で反対方向に排出されるとともに、それぞれの排気は、隣の室外機ペアの第二の室外機及び第一の室外機の排気と衝突することで、上向き又は下向きの力が作用し、上昇気流又は下降気流を発生させるようになる。
【００５３】
図２に示すように、本実施形態において、壁１１は、太陽光パネル１８を含む。例えば、集合住宅や、ビジネスホテル、オフィスビル等の建物の外壁や壁に、太陽光パネルが設置される場合がある。太陽光パネルは、太陽光の照射により非常に高温になり、発電効率が悪くなる場合が多い。
【００５４】
本実施形態において、第一の室外機ペア１２及び第二の室外機ペア１３から壁の方向に向かって排気された排気は、上述のように、上昇気流又は下降気流を発生させ、上昇気流又は下降気流となった排気は、壁１１から外へ排出されるとともに、そのまま上昇又は下降して排出されるようになる。そのため、太陽光パネル１８が効率良く冷却されるようになるため、発電効率が良好となる。
【実施例】
【００５５】
次に、実施例を挙げて本発明をさらに詳しく説明するが、本発明はこれらに限定されるものではない。
【００５６】
（数値流体力学的解析を用いた室外機から排出される排気の気流解析）
発明者らは、数値流体力学（Ｃｏｍｐｕｔａｔｉｏｎａｌ  Ｆｌｕｉｄ  Ｄｙｎａｍｉｃｓ：ＣＦＤ）的解析（以下、ＣＦＤ解析という）を用いて、室外機の配置構造におけるショートサーキットの影響を解析した。
【００５７】
ＣＦＤ解析とは、流体の運動に関する方程式をコンピュータで解くことによって、流体の流れを観察する数値解析、シミュレーション手法である。
【００５８】
本実施例では、汎用の熱流体解析ツールを用いて、ＣＦＤ解析により、以下の室外機の配置構造（Ｎｏ．１〜Ｎｏ．５）におけるショートサーキットの影響を解析した。なお、メッシュの切り方等の計算設定は、計算制度と計算時間とのバランスにより決定した。
【００５９】
（解析条件及びモデル）
以下の表１及び表２に示す室外機を、建物２００の各フロアのバルコニーに６台ずつ計１８台設置し、冷房定格条件（外気３５℃）、無風状態で、室外機の配置構造を変更して、以下の条件で解析を行った。
【００６０】
本実施例で解析した室外機の配置構造（Ｎｏ．１〜Ｎｏ．８）における室外機パターン、室外機配置数、排気の吹出し方向及びバルコニー床の開口率等の解析条件について、以下の表１に示す。
【００６１】
【表１】
2018119765.tif 000003
室外機のショートサーキットによる冷房運転効率の低下を５％以下にするには、室外機の機器特性により、室外機の吸込み温度を外気温度に比し＋２℃以下にする必要がある。本実施例においては、複数の室外機を用いるため、各室外機の吸込み温度が、外気温度に比し＋２℃以下であることを目標値とする。数値解析による室外機の吸込み温度の結果を、以下の表２に示す。なお、表１に示す室外機の配置構造（Ｎｏ．１〜Ｎｏ．８）が、表２に示すＮｏ．１〜Ｎｏ．８に対応している。
【００６２】
【表２】
2018119765.tif 000004
（解析結果）
表１に示すように、室外機の配置構造Ｎｏ．１（パターンＡ）（以下、Ｎｏ．１という）では、床の開口率が８０％のバルコニーに、１台の室外機を配置し、正面からの吹出し方向で排気を行った。
【００６３】
表２に示すように、Ｎｏ．１では、平均吸込み温度が３９．０℃となり、室外機の吸込み温度が、外気温度に比し＋２℃以下であるとする目標値（以下、目標値という）を達成しなかった。
【００６４】
平均吸込み温度が上昇した要因として、室外機から吹き出した排気が、バルコニーの壁に当たり、室外機が排気を再度吸込む、ショートサーキットが起こったため（要因ａ）、及び上層階のバルコニーに設置された室外機が、下層階のバルコニーに設置された室外機からの排気を吸込んだため（要因ｂ）、であると考えられる。
【００６５】
そこで、Ｎｏ．２では、ショートサーキット対策として、室外機の吹出し口に、風向調整板を取り付けるようにした。風向調整板は、室外機の吹出し口の上下左右の向きに自由に取り付けられることができる。表１に示すように、Ｎｏ．２では、風向調整板を上向き（上４５度）に取り付けた。
【００６６】
表２に示すように、Ｎｏ．２では、平均吸込み温度が３６．７℃となり、上記目標値を達成した。風向調整板の取付けにより、上記要因ａが改善されたが、風向調整板を上向きに取り付けたため、上記要因ｂは改善されておらず、上層階の吸込み温度が高くなっていた。
【００６７】
要因ｂを改善する手段として、バルコニー床の開口率を低くすることが考えられる。そこで、表１に示すように、Ｎｏ．３では、バルコニー床の開口率を、８０％から２０％にして解析を行った。
【００６８】
表２に示すように、Ｎｏ．３では、平均吸込み温度が３７．０℃となり、Ｎｏ．２の結果（３６．７℃）より温度が若干高かった。その原因として、要因ｂは改善されたが、要因ａが悪くなったことが挙げられる。
【００６９】
要因ｂを改善する手段として、室外機からの上向きの排気の風量を少なくすることが考えられる。そこで、表１に示すように、Ｎｏ．４では、風向調整板を横向き（右４５度）に設置して、解析を行った。
【００７０】
表２に示すように、Ｎｏ．４では、平均吸込み温度が３７．３℃となり、目標値を達成しなかったが、要因ｂは改善された。なお、平均吸込み温度が高くなった理由は、複数の室外機が、それぞれ、隣接する室外機から吹出された温風を吸込み、一番端に設置された室外機の吸込み温度が高くなったため（要因ｃ）、であると考えられる。
【００７１】
要因ｃを改善する手段として、右に吹出す室外機と、左に吹出す室外機とを、交互に配置することが考えられる。そこで、Ｎｏ．５では、右に吹出す室外機と、左に吹出す室外機とを交互に配置して（左右４５度）、解析を行った。
【００７２】
表２に示すように、Ｎｏ．５では、平均吸込み温度が３６．８℃となり、目標値を達成した。しかしながら、隣接する室外機から吹出された排気が衝突する箇所において、ショートサーキットが発生していた。
【００７３】
隣接する室外機から吹出された排気が衝突する箇所におけるショートサーキットを改善する手段として、２基の室外機を１組のペアとして配置することが考えられる。そこで、Ｎｏ．６では、２基の室外機を１組のペアとして配置して、解析を行った。
【００７４】
表２に示すように、Ｎｏ．６では、平均吸込み温度が３５．８℃となり、目標値を達成し、最も良い結果となった。Ｎｏ．６で、良い結果となった理由として、２基の室外機を１組のペアとし、各室外機の排熱方向を、外壁に沿う方向において逆向きとして隣接設置したため、隣接する室外機から吹出された排気が衝突しにくく、ショットサーキットが発生しにくいこと（要因ｄ）、風向調整板を設けたため、室外機から吹出された排気が、横向きに排気され、障害物に当たらず、ショットサーキットが発生しにくいこと（要因ｅ）、かつ上層階の室外機が、下層階の室外機の排気を吸込みにくいこと（要因ｆ）、等が挙げられる。
【００７５】
要因ｆをさらに改善する手段として、表１に示すように、床の開口率を８０％から２０％にして、解析を行った（Ｎｏ．７）。
【００７６】
表２に示すように、Ｎｏ．７では、平均吸込み温度が３６．０℃となり、目標値を達成したが、Ｎｏ．６より若干悪い結果となった。その要因として、Ｎｏ．３と同様に、室外機から吹き出した高温の排気が、バルコニーの壁に当たり、室外機が高温の排気を再度吸込む、ショートサーキットが起こったため（要因ａ）、であると考えられる。
【００７７】
また、表１に示すように、ＮＯ．６における隣接する室外機の間隔を１／２にして、同様の解析を行った（Ｎｏ．８）。
【００７８】
表２に示すように、Ｎｏ．８では、平均吸込み温度が３８．３℃となり、目標値を達成しなかった。Ｎｏ．６のように、室外機を２基一組として配置する場合、隣接する室外機の間隔を十分に取る必要があることが分かった。
【００７９】
なお、本実施例においては、冷房運転時における室外機の排気効率について解析を行ったが、暖房運転時における室外機の排気効率についても、同様の解析を行うことが可能である。
【００８０】
以上のように、本実施形態に係る室外機の配置構造１００によれば、冷房運転時において、第一の室外機ペア１２の第一の室外機１２ａ及び第二の室外機ペア１３の第二の室外機１３ｂから排出される排気は、互いに衝突し、衝突することで上向きの力が作用し、上昇気流を発生させる。
【００８１】
そして、上昇気流となった排気は、壁１１から外へ排出されるとともに、そのまま上昇して排出されるようになる。その結果、第一の室外機ペア１２の第一の室外機１２ａ及び第二の室外機ペア１３の第二の室外機１３ｂから排出される排気は、壁１１を介して室外機に再び取り込まれることがないため、複数組の室外機ペアに対する風向が制御されることで、室外機の排気効率を向上させることができ、空調効率の低下を防ぐことができる。
【００８２】
また、第一の室外機ペア１２の第一の室外機１２ａ及び第二の室外機ペア１３の第二の室外機１３ｂから排出される排気は、外壁に直交する方向に対して、４５度〜９０度の範囲で制御されるため、上昇気流をより効率的に発生させることで、室外機の排気効率をより向上させることができ、空調効率の低下をさらに防ぐことができる。
【００８３】
また、第一の室外機ペア１２と、隣り合う第二の室外機ペア１３とが、３．５ｍ以上の所定間隔をあけて配置されると、第一の室外機ペア１２の第一の室外機１２ａ及び第二の室外機ペア１３の第二の室外機１３ｂから排出される排気は、互いに干渉することなく、また、壁１１を介して室外機に再び取り込まれることがなく、室外機の排気効率をより向上させることができ、空調効率の低下をさらに防ぐことができる。
【００８４】
また、各室外機ペア１２（１３）における二つの室外機が、０．１ｍ以上離間させて配置されると、二つの室外機から排出される排気は、互いに干渉することがない。
【００８５】
また、外壁１０と壁１１との間で上下方向に間隔をあけて設けられる複数の床材１４，１５を備え、各床材１４（１５）には、室外機ペア１２，１３が配置され、各床材１４（１５）は、通気可能に構成され、床面の開口率は、２０〜８０％の範囲であるため、第一の室外機ペア１２の第一の室外機１２ａ及び第二の室外機ペア１３の第二の室外機１３ｂから排出され、上昇気流となった排気の一部は、外壁１０と壁１１との間の空間に留まることなく、上方向に間隔をあけて設けられる複数の床材１４，１５・・・を通って、上方向に抜けることができる。これにより、外壁１０と壁１１との間の空間が高温になることを防ぐことができ、空調効率を向上させることができる。
【００８６】
また、複数組の室外機ペア１２及び１３から排出され、上昇気流となった排気の一部は、複数組の室外機ペア１２及び１３に干渉されることなく、上方向に間隔をあけて設けられる複数の床材１４，１５・・・を通って、上方向に効率的に抜けることができる。これにより、外壁１０と壁１１との間の空間が高温になることを防ぐことができ、空調効率を向上させることができる。
【００８７】
また、第一の室外機ペア１２の第一の室外機１２ａ及び第二の室外機ペア１３の第二の室外機１３ｂから壁１１に向かって排気された排気は、風向調整板１６，１７によってより適切に向き合うようになり、上昇気流をより効率的に発生させることで、複数の室外機に対する風向がより効率的に制御され、室外機の排気効率をさらに向上させることができ、空調効率の低下をさらに防ぐことができる。
【００８８】
また、複数組の室外機ペア１２及び１３から排気された排気は、上述のように、上昇気流を発生させ、上昇気流となった排気は、壁１１に当たることなく、そのまま排出されるようになる。そのため、太陽光パネル１８において、発電効率が良好となる。
【００８９】
尚、本発明の室外機の配置構造は、上記実施形態に限定されるものではなく、本発明の要旨を逸脱しない範囲で適宜変更し得ることは勿論のことである。
【００９０】
上記実施形態において、複数の室外機は、２基を１組とする複数組の室外機ペアを有するが、これに限定されるものではなく、例えば、室外機は、１基のみ、或いは、室外機は、３基以上を１組とする室外機ペアであってもよい。
【００９１】
上記実施形態において、第一の室外機ペア１２の第一の室外機１２ａと、第一の室外機１２ａに対向する第二の室外機ペア１３の第二の室外機１３ｂとは、その排気方向を、外壁１０に直交する方向に対して、所定角度で向き合うように配置されているが、これに限定されるものではない。
【００９２】
例えば、第一の室外機ペア１２の第一の室外機１２ａと、第一の室外機１２ａに対向する第二の室外機ペア１３の第二の室外機１３ｂとは、その排気方向を、外壁１０に対して、所定角度で向き合うように配置されていてもよい。
【００９３】
上記実施形態において、所定角度は、外壁１０に直交する方向に対して、４５度〜９０度の範囲であるが、これに限定されるものではない。要は、所定間隔は、複数の室外機の排気を効率的に調整でき、室外機の排気効率をより向上させることができ、空調効率の低下をさらに防ぐことができるような間隔であればよい。
【００９４】
上記実施形態において、第一の室外機ペア１２と、隣り合う第二の室外機ペア１３とは、３．５ｍ以上の所定間隔をあけて配置されているが、これに限定されるものではない。例えば、外壁１０から壁１１までの距離、室外機の大きさ、室内機から排出される排気の風量等によって、適宜変更可能である。要は、所定間隔は、複数の室外機の排気を効率的に調整でき、室外機の排気効率をより向上させることができ、空調効率の低下をさらに防ぐことができるような間隔であればよい。
【００９５】
上記実施形態において、各室外機ペア１２（１３）における二つの室外機は、０．１ｍ以上離間させて配置されるが、これに限定されるものではない。例えば、外壁１０から壁１１までの距離、室外機の大きさ、室内機から排出される排気の風量等によって、適宜変更可能である。要は、所定間隔は、複数の室外機の排気が、効率的に調整でき、室外機の排気効率をより向上させることができ、空調効率の低下をさらに防ぐことができるような間隔であればよい。
【００９６】
上記実施形態において、各床材１４（１５）は、通気可能に構成され、床面１４ａ（１５ａ）の開口率は、２０〜８０％の範囲であるが、これに限定されるものではない。要は、床面１４ａ（１５ａ）の開口率は、複数の室外機の排気を効率的に制御でき、上層階及び下層階の室外機の排気制御に影響を与えないような範囲であればよい。
【００９７】
上記実施形態において、風向調整板１６，１６は、第一の室外機１２ａ及び第二の室外機１２ｂの吹出口に取付可能な外枠１６ａと、外枠内に上下方向に間隔をあけて設けられた複数の板状部材１６ｂと、を有するが、これに限定されるものではない。
【００９８】
要は、風向調整板１６，１６は、室外機の吹出し口の上下左右の向きに自由に取り付けられることができ、複数の室外機ペアから排出された排気から、上昇気流又は下降気流をより効率的に発生させることで、室外機の排気効率をより向上させることができ、空調効率の低下をさらに防ぐことができるような構成であればよい。風向調整板１７，１７についても、上記と同様である。
【００９９】
上記実施形態において、壁１１は、太陽光パネル１８を含むが、これに限定されるものではない。例えば、壁１１は、腰壁等であってもよい。
【０１００】
上記実施形態において、建物２００は、集合住宅や、ビジネスホテル、オフィスビル等であるが、これに限定されるものではなく、外壁１０と、外壁１０から離間して配置された壁１１と、外壁１０と壁１１との間に、外壁面１０ａに沿って並設された複数の室外機とを備えるような建物であればよい。
【産業上の利用可能性】
【０１０１】
本発明の室外機の配置構造は、集合住宅や、ビジネスホテル、オフィスビル等の建物に配置されたエアコンの室外機に有効に適用される。
【符号の説明】
【０１０２】
１０  外壁、１０ａ  外壁面、１１  壁、１２  第一の室外機ペア、１２ａ  第一の室外機、１２ｂ  第二の室外機、１３  第二の室外機ペア、１３ａ  第一の室外機、１３ｂ  第二の室外機、１４，１５  複数の床材、１４ａ，１５ａ  床面、１６，１７  風向調整板、１６ａ，１７ａ  外枠、１６ｂ，１７ｂ  板状部材、１８  太陽光パネル。
【図１】
2018119765.tif 000005
【図２】
2018119765.tif 000006
【図３】
2018119765.tif 000007